(57)【要約】【課題】極めて簡単な構造でコンクリート製乃至金属製のスリーブ内に配線乃至配管を挿通させる際に生ずる擦り傷を防止する。【解決手段】コンクリート製乃至金属製のスリーブ６内に配線乃至配管７を挿通させる際のガード管１であって、塩化ビニール等の合成樹脂で構成され、スリーブ６の内壁に沿って形成された管状部２と管状部２の上端に形成された拡径部３と管状部３の長さ方向に沿って拡径部３と管状部２に形成された切り溝４と切り溝５とから構成されるガード管【選択図】図２
0003108676.tif 000002
【実用新案登録請求の範囲】
【請求項１】
建築構造物に形成された孔内に配線乃至配管を挿通させる際のガード管であって、孔の内壁に沿って形成された管状部と該管状部の上端に形成された拡径部とを有し、上記管状部と拡径部には管状部の長さ方向に沿って切り溝を形成するようにしたことを特徴とするガード管。
【請求項２】
拡径部に形成された切り溝の両端面を面一にした請求項１記載のガード管。
【考案の詳細な説明】
【技術分野】
【０００１】
この考案は、床や梁などの建築構造物に形成されたスリーブ、コアーなどの孔内に配線乃至配管を挿通させる際のガード管に関するものである。
【背景技術】
【０００２】
建築構造物の床や梁などには配線乃至配管を挿通させるためのコンクリート製乃至金属製のスリーブ、コアー穴等の孔が形成され、これらの孔にはビニール被覆された電線等の配線或いは冷媒管、ポリブデン製給水・給湯管等の配管が挿通される。
【０００３】
この場合、ポリブデン製給水・給湯管を孔内に挿通させる際には、孔の内周壁で擦れて給水・給湯管の表面に縦方向に擦り傷が生じ、このため継ぎ手による接続の際に水漏れが生ずることがある。
【０００４】
また、冷媒管を孔内に挿通させる際には、冷媒管の表面の保温材が破れたり、引っ掛け傷が生じたりすることがある。
【０００５】
更に、電線を孔内に挿通させる際には、電線表面のビニール被覆が傷付けられたり、ビニール被覆が破れて絶縁不良を生じたりすることがある。
【０００６】
これら建築構造物中に形成された孔内に配線乃至配管を挿通させる際に配線乃至配管が傷を受けないように従来は孔に段ボール等を宛ってから配線乃至配管を挿通することが行われている。
【特許文献１】実開平4-20573号公報、特開平11-10629号公報
【考案の開示】
【考案が解決しようとする課題】
【０００７】
しかし、建築の作業現場で段ボール等を調達して、孔に宛うのでは、作業能率が極めて悪い等の難点がある。
【課題を解決するための手段】
【０００８】
そこで、この考案では上記実情に鑑み、建築構造物に形成された孔内に配線乃至配管を挿通させる際のガード管であって、孔の内壁に沿って形成された管状部と該管状部の上端に形成された拡径部とを有し、上記管状部と拡径部には管状部の長さ方向に沿って切り溝を形成するようにしたガード管を提案するものである。
【考案の効果】
【０００９】
この考案において配線乃至配管が挿通される孔としては、建築構造物の床や梁等に形成されたコンクリート製乃至鉄等の金属製スリーブ、コアー穴等、また建築構造物の床に形成される連結スリーブ、更に内部にデッキプレートを介設したデッキスラブに形成されたスラブ等を挙げることができる。
【００１０】
また、孔内に挿通される配線乃至配管としては、表面をビニル被覆した電線、表面を保温材で被覆した冷媒管、ポリブデン製の給水・給湯管等を挙げることができ、更にその一側に枝管等を突設させた配管等についても使用できる。
【００１１】
一方、この考案に係わるガード管は塩化ビニール等の合成樹脂で構成され、建築構造物に形成された孔内に配線乃至配管を挿通させる際には、拡径部を孔の開口部より突出させて管状部を孔の内壁に沿って挿入し、配線乃至配管は拡径部の内壁面に沿って管状部内に挿通した後、切り溝より外してガード管を孔より引き抜くものである。
【００１２】
これにより孔内に配線乃至配管を挿通させる際には、配線乃至配管と孔内壁との間に塩化ビニール等の合成樹脂で構成されたガード管が介在されるので、配線乃至配管の表面が傷付けられることがない。
【００１３】
したがって、この考案によれば建築構造物に形成された孔内にポリブデン製給水・給湯管を挿通させる際に、孔の内周壁で擦れて給水・給湯管の表面に水漏れの原因となる擦り傷ができることはない。
【００１４】
また、冷媒管を孔内に挿通させる際の保温材の破れ、引っ掛け傷の発生、更には電線を孔内に挿通させる際のビニール被覆の損傷、絶縁不良の原因となるビニール被覆の破れ等を生ずることがない。
【００１５】
なお、この考案に係わるガード管はスリーブ内に挿通させる際の配線乃至配管の擦り傷を防止するばかりでなく、スリーブの養生にも好適である。
【００１６】
また、この考案に係るガード管は建築構造物に形成された複数のスリーブ、コアー穴等の孔に使用でき、したがって経済的であるばかりでなく、作業能率を向上させることができる。
【００１７】
なお、床に形成された連結スリーブに配線乃至配管を挿通させる際には、ガード管は切り溝をスリーブの連結溝に合わせるようにしてスリーブ内に挿入される。
【００１８】
また、デッキスラブに設けられたスリーブ内に配管乃至配管を挿通させる際には配線乃至配管はスリーブの上端部と下端部で傷付けられる虞があるので、ガード管の管状部の長さをスラブ厚より長くして配線乃至配管がスリーブの上端部と下端部で傷付けられるのを防ぐことが好ましい。
【００１９】
なお、この考案に係わるガード管における拡径部に形成された切り溝両端面の開き角度は孔内に挿通される配線乃至配管の径等により任意に設定することができるが、拡径部に形成された切り溝の両端面を面一にすれば、両端面を突き合わせることにより二組のガード管を接合でき、この接合されたガード管を使用することにより孔内に挿通される配線乃至配管の両側面をガードすることができ、したがって例えばその一側に枝管等を突設させた配管を孔内に挿通させる際に好適である。
【考案を実施するための最良の形態】
【００２０】
コンクリート製乃至金属製のスリーブ内に配線乃至配管を挿通させる際のガード管であって、塩化ビニール等の合成樹脂で構成され、スリーブの内壁に沿って形成された管状部と該管状部の上端に形成された拡径部と上記管状部の長さ方向に沿って上記拡径部と管状部に形成された切り溝とからなるガード管。
【実施例１】
【００２１】
以下、この考案を図示の実施例に基づいて詳細に説明すると、１は塩化ビニールで構成されたこの考案に係わるガード管で、２は管状部、３は管状部２の上端に形成された拡径部であり、管状部２にはその長さ方向に沿って切り溝４を形成し、拡径部３には切り溝４の延長上に切り溝５を形成する。
【００２２】
なお、5a,5aは拡径部３に形成された切り溝５の端面であり、端面5a,5aの開き角度αは60度程度にしてある。
【００２３】
この考案に係わるガード管１は使用に際しては例えばコンクリート製のスリーブ６内に管状部２を挿入し、ポリブデン製の給水・給湯配管７をスリーブ６より突出した拡径部３に沿って管状部２内に挿通させ、その後給水・給湯配管７を切り溝４より外してガード管１をスリーブ５よりに引き抜くものである。
【００２４】
これにより配管７はガード管１を介在させてスリーブ６内に挿通されるため、配線乃至配管の表面が傷付けられることがない。
【００２５】
図３は、この考案に係わるガード管１の拡径部３に形成された切り溝５の端面5a,5aを面一にした実施例を示すものであり、この場合切り溝５，５の両端面5a,5aを突き合わせることにより二組のガード管１，１を接合させることができ、これらの接合されたガード管１，１をスリーブ６内に挿入してその一側に枝管８を突設させた配管７を挿通させれば、配管７の両側をガード管１，１でガードされる。
【００２６】
これにより、その一側にバルブ取付口８を突設させた配管７の両側部は二組のガード管１，１により保護され、傷付けられることはない。
【産業上の利用可能性】
【００２７】
以上要するに、この考案によれば極めて簡単な構造でコンクリート製乃至金属製のスリーブ内に配線乃至配管を挿通させる際に生ずる擦り傷を防止することができる。
【図面の簡単な説明】
【００２８】
【図１】この考案に係わるガード管の一実施例を示すもので、（ａ）は平面図、（ｂ）は側面図、（ｃ）はＡ−Ａ線断面図
【図２】同上のガード管の使用態様を示す斜視図
【図３】この考案に係わるガード管の他の実施例を示すもので、（ａ）は平面図、（ｂ）は側面図、（ｃ）はＢ−Ｂ線断面図
【図４】同上のガード管の使用態様を示す平面図
【図５】同上の縦断側面図
【符号の説明】
【００２９】
１はこの考案に係わるガード管
２は管状部
３は拡径部
４は管状部に形成された切り溝
５は拡径部に形成された切り溝
5a,5aは切り溝５の端面
６はコンクリート製のスリーブ
７はポリブデン製の給水・給湯配管
８は枝管
【図１】
0003108676.tif 000003
【図２】
0003108676.tif 000004
【図３】
0003108676.tif 000005
【図４】
0003108676.tif 000006
【図５】
0003108676.tif 000007